(57)【特許請求の範囲】
【請求項１】
固定部材（１２、１４）と、固定部材（１２、１４）に回転可能に支持される巻取パイプ（１６）と、一端を巻取パイプ（１６）に巻取り及び巻解き可能に連結されるスクリーン（１８）と、スクリーン（１８）の他端に取り付けられたウエイトバー（２０）とを有するロールスクリーン（１０）に対して、そのスクリーン（１８）が巻取パイプ（１６）に巻き取られた状態で、着脱可能に取り付けられるロールスクリーン用支持部材であって、
前記固定部材（１２、１４）に取り付け可能な第１保持部（３２、３２−１）と、前記ウエイトバー（２０）の端部に取り付け可能な第２保持部（３４）とを有し、ロールスクリーン取付状態で、巻取パイプ（１６）に巻き取られているスクリーン（１８）とウエイトバー（２０）とを離反した状態で保持することを特徴とするロールスクリーン用支持部材。
【請求項２】
固定部材（１２、１４）と、固定部材（１２、１４）に回転可能に支持される巻取パイプ（１６）と、一端を巻取パイプ（１６）に巻取り及び巻解き可能に連結されるスクリーン（１８）と、スクリーン（１８）の他端に取り付けられたウエイトバー（２０）とを有するロールスクリーン（１０）に対して、そのスクリーン（１８）が巻取パイプ（１６）に巻き取られた状態で、着脱可能に取り付けられるロールスクリーン用支持部材であって、
前記固定部材（１２、１４）に取り付け可能な第１保持部（３２、３２−１）と、前記ウエイトバー（２０）に取り付け可能な第２保持部（３４）とを有し、ロールスクリーン取付状態で、巻取パイプ（１６）に巻き取られているスクリーン（１８）とウエイトバー（２０）とを離反した状態で保持すると共に、巻取パイプ（１６）とウエイトバー（２０）とのロールスクリーン長手方向の相対移動を規制することを特徴とするロールスクリーン用支持部材。
【請求項３】
前記第２保持部（３４）は、ウエイトバー端部に設けられたウエイトバーキャップ（２０ａ）に取り付け可能であることを特徴とする請求項１または２記載のロールスクリーン用支持部材。
【請求項４】
前記第２保持部（３４）は、ロールスクリーン取付状態で、ウエイトバー（２０）に対してロールスクリーン長手方向内側方向の移動が規制されることを特徴とする請求項１ないし３のいずれか１項に記載のロールスクリーン用支持部材。
【請求項５】
前記第１保持部（３２）は固定部材のセットフレーム（１２）に取り付け可能なセットフレーム保持部であり、該セットフレーム保持部は、ロールスクリーン取付状態で、セットフレーム（１２）に対してロールスクリーン長手方向外側方向の移動が規制されることを特徴とする請求項１ないし４のいずれか１項に記載のロールスクリーン用支持部材。
【請求項６】
前記第１保持部（３２−１）は固定部材のサイドプレート（１４）に取り付け可能なサイドプレート保持部であり、該サイドプレート保持部は、ロールスクリーン取付状態で、ロールスクリーン（１０）に対してロールスクリーン長手方向の移動が規制されることを特徴とする請求項１ないし４のいずれか１項に記載のロールスクリーン用支持部材。
【請求項７】
請求項１ないし６のいずれか１項に記載のロールスクリーン用支持部材が取り付けられたロールスクリーン。
【発明の詳細な説明】
【技術分野】
【０００１】
本発明は、ロールスクリーンに着脱可能に取り付けられてロールスクリーン不使用時の支持を行なうロールスクリーン用支持部材に関する。
【背景技術】
【０００２】
一般的にロールスクリーンは、一端を巻取パイプに巻取り及び巻解き可能に連結されると共に他端にウエイトバーが取り付けられたスクリーンを、巻取パイプの一端に設けられたチェーンを操作することによって昇降する所謂チェーン式ロールスクリーンと、ウエイトバーから垂下する操作具を操作し、巻取パイプに内蔵された巻取スプリングの付勢力によって昇降する所謂スプリング式ロールスクリーン等が知られている。
【０００３】
いずれのロールスクリーンであっても、ユーザーに商品として納品する際には、スクリーンが完全に巻取パイプに巻取られた状態で梱包・搬送される。
【発明の開示】
【発明が解決しようとする課題】
【０００４】
しかしながら、スクリーンが巻取パイプに巻取られた状態のロールスクリーンをそのまま梱包して搬送すると、ウエイトバーが巻取パイプに巻き取られたスクリーンに押し付けられる。そのため、この状態が長く続くと、スクリーンにウエイトバーの押し跡が付いて、ロールスクリーンを取付場所に設置後、スクリーンを巻取パイプから巻解いた時に、スクリーン表面に周期的に形成される押し跡が露出し、意匠性を悪化させるという問題がある。
【０００５】
本発明はかかる問題に鑑みなされたもので、ロールスクリーン不使用時、特に梱包・搬送時にロールスクリーンを適切に支持して、ロールスクリーンの意匠性の悪化を防ぐことができるようにするロールスクリーン用支持部材を提供することをその目的とする。
【課題を解決するための手段】
【０００６】
前述した目的を達成するために、請求項１記載の発明は、固定部材と、固定部材に回転可能に支持される巻取パイプと、一端を巻取パイプに巻取り及び巻解き可能に連結されるスクリーンと、スクリーンの他端に取り付けられたウエイトバーとを有するロールスクリーンに対して、そのスクリーンが巻取パイプに巻き取られた状態で、着脱可能に取り付けられるロールスクリーン用支持部材であって、
前記固定部材に取り付け可能な第１保持部と、前記ウエイトバーの端部に取り付け可能な第２保持部とを有し、ロールスクリーン取付状態で、巻取パイプに巻き取られているスクリーンとウエイトバーとを離反した状態で保持することを特徴とする。
【０００７】
請求項２記載の発明は、固定部材と、固定部材に回転可能に支持される巻取パイプと、一端を巻取パイプに巻取り及び巻解き可能に連結されるスクリーンと、スクリーンの他端に取り付けられたウエイトバーとを有するロールスクリーンに対して、そのスクリーンが巻取パイプに巻き取られた状態で、着脱可能に取り付けられるロールスクリーン用支持部材であって、
前記固定部材に取り付け可能な第１保持部と、前記ウエイトバーに取り付け可能な第２保持部とを有し、ロールスクリーン取付状態で、巻取パイプに巻き取られているスクリーンとウエイトバーとを離反した状態で保持すると共に、巻取パイプとウエイトバーとのロールスクリーン長手方向の相対移動を規制することを特徴とする。
【０００８】
請求項３記載の発明は、請求項１または２記載の前記第２保持部が、ウエイトバー端部に設けられたウエイトバーキャップに取り付け可能であることを特徴とする。
【０００９】
請求項４記載の発明は、請求項１ないし３のいずれか１項に記載の前記第２保持部が、ロールスクリーン取付状態で、ウエイトバーに対してロールスクリーン長手方向内側方向の移動が規制されることを特徴とする。
【００１０】
請求項５記載の発明は、請求項１ないし４のいずれか１項に記載の前記第１保持部が固定部材のセットフレームに取り付け可能なセットフレーム保持部であり、該セットフレーム保持部は、ロールスクリーン取付状態で、セットフレームに対してロールスクリーン長手方向外側方向の移動が規制されることを特徴とする。
【００１１】
請求項６記載の発明は、請求項１ないし４のいずれか１項に記載の前記第１保持部が固定部材のサイドプレートに取り付け可能なサイドプレート保持部であり、該サイドプレート保持部は、ロールスクリーン取付状態で、ロールスクリーンに対してロールスクリーン長手方向の移動が規制されることを特徴とする。
【００１２】
請求項７記載の発明は、請求項１ないし６のいずれか１項に記載のロールスクリーン用支持部材が取り付けられたロールスクリーンを特徴とする。
【発明の効果】
【００１３】
本発明によれば、第１保持部がロールスクリーンの固定部材に取り付けられ、第２保持部がロールスクリーンのウエイトバーに取り付けられることで、固定部材とウエイトバーとの間の相対位置が固定され、巻取パイプに巻き取られているスクリーンとウエイトバーとを離反した状態で保持することができるために、スクリーンにウエイトバーの押し跡がつかないようにすることができ、使用時にスクリーンの意匠性を悪化させることがない。
【００１４】
請求項１記載の発明によれば、第２保持部がウエイトバーの端部に取り付けられるので、ウエイトバーの本体の周囲に共布が巻付けられている場合にも、巻付けられた共布に第２保持部の保持跡がつくことを防ぐことができる。
【００１５】
請求項２記載の発明によれば、巻取パイプとウエイトバーとのロールスクリーンの長手方向の相対移動を規制するので、かかる長手方向の相対移動に起因するロールスクリーンの破損を防ぐことができる。
【００１６】
請求項３記載の発明によれば、第２保持部がウエイトバーキャップに取り付けられるので、ウエイトバーの本体に共布が巻付けられている場合にも、巻付けられた共布に第２保持部の保持跡がつくことを防ぐことができる。
【００１７】
請求項４記載の発明によれば、第２保持部がウエイトバーに対してロールスクリーンの長手方向内側方向に移動することが規制されるために、第２保持部がウエイトバーの中央部に移動することなく、よって、ウエイトバーの本体の周囲に共布が巻付けられている場合にも、巻付けられた共布に第２保持部の保持跡がつくことを防ぐことができる。
【００１８】
請求項５記載の発明によれば、第１保持部であるセットフレーム保持部がセットフレームに対してロールスクリーン長手方向外側方向に移動することが規制されるために、ロールスクリーン用支持部材がロールスクリーン長手方向外側方向に移動して脱落することを防ぐことができる。
【００１９】
請求項６記載の発明によれば、第１保持部であるサイドプレート保持部がサイドプレートに取り付けられて、サイドプレート保持部がロールスクリーン長手方向に移動することが規制されるために、ロールスクリーン用支持部材がロールスクリーン長手方向外側方向に移動して脱落することを防ぎ、またはロールスクリーン用支持部材がロールスクリーン長手方向内側方向に移動することを防ぎ、ウエイトバーの本体の周囲に共布が巻付けられている場合に巻付けられた共布に第２保持部の保持跡がつくことを防ぐことができる。
【発明を実施するための最良の形態】
【００２０】
以下、図面を用いて本発明の実施の形態を説明する。
図１は本発明の実施形態にかかるロールスクリーン用支持部材とロールスクリーンとを表す全体斜視図である。
【００２１】
このロールスクリーン用支持部材が取り付けられるロールスクリーン１０は、セットフレーム１２と該セットフレーム１２の両端に取り付ける一対のサイドプレート１４とからなる固定部材と、サイドプレート１４に両端が回転可能に支持される巻取パイプ１６と、巻取パイプ１６に巻取り・巻解き可能に連結されるスクリーン１８と、スクリーン１８の他端に取り付けられたウエイトバー２０と、からなる公知の構成をなしている。
【００２２】
この例では、図４に示すように、ウエイトバー２０の本体の周囲にスクリーン１８の他端が巻き付けられて、ウエイトバー２０の本体の周囲もスクリーン１８と同じ柄となった共布仕様となっている。ウエイトバー２０の本体の端部は、合成樹脂からなるウエイトバーキャップ２０ａにより塞がれており、ウエイトバーキャップ２０ａにはスクリーン１８は巻き付かれていない。
【００２３】
尚、ロールスクリーン１０は、その操作形式が巻取パイプ１６の一端にチェーンが設けられるチェーン式、またはウエイトバー２０から操作具が設けられるスプリング式のいずれの形式となっていてもよい。
【００２４】
また、サイドプレート１４は、正面視でＬ字形をなし、その一辺がセットフレーム１２内に挿入されたサイドブラケット１４ａ（図５参照）と、サイドブラケット１４ａの他辺を包囲するサイドプレートカバー１４ｂとからなる。
【００２５】
このロールスクリーン１０において梱包時には、スクリーン１８が巻取パイプ１６に巻き取られており、よって、巻取パイプ１６及び固定部材とウエイトバー２０とは接近している（図７参照）。この状態でロールスクリーン１０に取り付けられるロールスクリーン用支持部材３０は、合成樹脂からなり、図２及び図３に示すように、一端に固定部材に取り付け可能となった第１保持部３２を備え、他端にウエイトバー２０に取り付け可能となった第２保持部３４を備えている。
【００２６】
第１保持部３２は、この例では、固定部材のセットフレーム１２に取り付け可能となったセットフレーム保持部となっており、セットフレーム１２の正面側と背面側にそれぞれ形成される溝１２ａ（図４）にはめ込まれる一対の係止部３２ａと、該一対の係止部３２ａの間にあってセットフレーム１２の上面を越える連結部３２ｂとを備えている。
【００２７】
第２保持部３４は、この例では、ウエイトバー２０の端部に設けられたウエイトバーキャップ２０ａに取り付け可能となっており、ウエイトバーキャップ２０ａの外周面の大部分を包囲する略リング部３４ａと、略リング部３４ａの側端部から内径方向に伸びる内方フランジ３４ｂと、を備えている。
【００２８】
以上のように構成されるロールスクリーン用支持部材３０を梱包時にロールスクリーン１０に取り付けるには、第２保持部３４をウエイトバーキャップ２０ａに取り付けて、リング部３４ａがウエイトバーキャップ２０ａを包囲するようにすると共に、第１保持部３２の一対の係止部３２ａをセットフレーム１２の溝１２ａにはめ込む。このとき、連結部３２ｂの可撓性を利用するとよい。このようにして一対のロールスクリーン用支持部材３０をロールスクリーン１０の両端に取り付ける。
【００２９】
このロールスクリーン用支持部材３０によって支持されたロールスクリーン１０においては、セットフレーム１２とウエイトバーキャップ２０ａとの相対位置が固定される。即ち、固定部材に回転可能に支持されている巻取パイプ１６及びその巻取パイプ１６に巻き取られているスクリーン１８とウエイトバー２０との相対位置が固定される。そのため、ウエイトバー２０と巻取パイプ１６に巻き取られたスクリーン１８とを離反した状態に維持して、スクリーン１８にウエイトバー２０の押し跡がつかないようにすることができる。これに対して図７に示すようにロールスクリーン用支持部材３０によってロールスクリーン１０が支持されていないと、ウエイトバー２０が巻取パイプ１６に巻き取られているスクリーン１８に接触してしまう。
【００３０】
また、ロールスクリーン用支持部材３０の第２保持部３４は、ウエイトバー２０の本体ではなく、ウエイトバー２０のウエイトバーキャップ２０ａを保持しているために、ウエイトバー２０の本体に巻付かれたスクリーン１８についても、ロールスクリーン用支持部材３０によって第２保持部３４による保持跡がつかないようにすることができる。
【００３１】
各ロールスクリーン用支持部材３０の第２保持部３４の内方フランジ３４ｂは、ウエイトバーキャップ２０ａの側面に当接してロールスクリーン長手方向内側方向の移動が規制されるために、第２保持部３４は、ウエイトバーキャップ２０ａよりも内側、即ち、ウエイトバー２０の本体側へと移動することが規制され、ウエイトバー２０のロールスクリーン用支持部材３０は、ウエイトバー２０の本体に巻付かれたスクリーン１８を傷めることはない。また、内方フランジ３４ｂがあるために、第２保持部３４をウエイトバーキャップ２０ａ以外のウエイトバー２０の本体に取り付けることができないため、第２保持部３４の取り付けをウエイトバー２０の端部にのみ可能になるように一義的に決めることができる。
【００３２】
尚、セットフレーム１２に第１保持部３２が取り付けられたロールスクリーン用支持部材３０は、セットフレーム１２に対してロールスクリーン長手方向に沿って多少移動することは可能であるが、サイドプレートカバー１４ｂの突起１４ｃがセットフレーム１２の溝１２ａの端部にはめ込まれており（図５参照）、第１保持部３２の係止部３２ａが溝１２ａに沿って長手方向外側方向に移動してサイドプレートカバー１４ｂの突起１４ｃに当接すると、それ以上は移動することができなくなる。よって、ロールスクリーン用支持部材３０のロールスクリーン１０からの長手方向の脱落が防止され、長手方向の移動は制限される。そのため、結果として、固定部材及び巻取パイプ１６とウエイトバー２０との長手方向に沿った相対移動も制限されることになる。つまり、ウエイトバー２０自体がロールスクリーン用支持部材３０によってロールスクリーン１０の長手方向に沿って自由に移動することができず、よって、固定部材及び巻取パイプ１６とウエイトバー２０との長手方向に沿った相対移動が規制されるため、ロールスクリーン１０の破損を防ぐこともできる。
【００３３】
図８は、本発明のロールスクリーン用支持部材の他の実施形態を表す図である。前実施形態と同一・同様の部分は同一の符号を付す。この実施形態のロールスクリーン用支持部材３０−１は、合成樹脂からなり、一端に固定部材に取り付け可能となった第１保持部３２−１を備え、他端にウエイトバー２０に取り付け可能となった第２保持部３４を備えている。
【００３４】
第１保持部３２−１は、この例では、固定部材のサイドプレート１４に取り付け可能となったサイドプレート保持部となっている。具体的には、サイドプレートカバー１４ｂの前端縁と後端縁に係止する一対の係止部３２−１ａと、該一対の係止部３２−１ａの間にあってサイドプレートカバー１４ｂの側面を越える連結部３２ｂとを備えている。
【００３５】
第２保持部３４は、ウエイトバー２０の端部に設けられたウエイトバーキャップ２０ａに取り付け可能となっており、第１実施形態のものと同様に、ウエイトバーキャップ２０ａの外周面の主なる部分を包囲する略リング部３４ａと、略リング部３４ａの端部から内径方向に広がる内方フランジ３４ｂと、を備えている。
【００３６】
以上のように構成されるロールスクリーン用支持部材３０−１を梱包時にロールスクリーン１０に取り付けるには、第２保持部３４をウエイトバーキャップ２０ａに取り付けて、リング部３４ａがウエイトバーキャップ２０ａを包囲するようにすると共に、第１保持部３２−１の一対の係止部３２−１ａをサイドプレートカバー１４ｂの前端縁と後端縁に係止する。このとき、連結部３２ｂの可撓性を利用するとよい。このようにして一対のロールスクリーン用支持部材３０−１をロールスクリーン１０の両端に取り付ける。
【００３７】
このロールスクリーン用支持部材３０−１によっても、固定部材とウエイトバーキャップ２０ａとの相対位置が固定され、結果として、ウエイトバー２０と巻取パイプ１６に巻き取られたスクリーン１８とを離反した状態に維持して、スクリーン１８にウエイトバー２０の押し跡がつかないようにすることができる。
【００３８】
また、第２保持部３４は、ウエイトバー２０の本体ではなく、ウエイトバー２０のウエイトバーキャップ２０ａを保持しているために、ウエイトバー２０の本体に巻付かれたスクリーン１８についても、ロールスクリーン用支持部材３０−１によって第２保持部３４による保持跡がつかないようにすることができる。
【００３９】
また、各ロールスクリーン用支持部材３０−１の第２保持部３４の内方フランジ３４ｂは、ウエイトバーキャップ２０ａの外側面に当接してロールスクリーン長手方向内側方向の移動が規制されるために、第２保持部３４は、ウエイトバーキャップ２０ａよりも内側、即ち、ウエイトバー２０の本体側へと移動することはなく、ウエイトバー２０のロールスクリーン用支持部材３０−１は、ウエイトバー２０の本体に巻付かれたスクリーン１８を傷めることはない。
【００４０】
さらに、サイドプレート１４に第１保持部３２−１が取り付けられたロールスクリーン用支持部材３０−１は、ロールスクリーン１０に対してその長手方向に沿って移動することが不可能となる。そのため、ロールスクリーン用支持部材３０−１のロールスクリーン１０からの長手方向の脱落が防止され、且つ固定部材及び巻取パイプ１６とウエイトバー２０との長手方向に沿った相対移動も制限されることになる。つまり、ウエイトバー２０自体がロールスクリーン用支持部材３０−１によってロールスクリーン１０の長手方向に沿って自由に移動することができず、よって、固定部材及び巻取パイプ１６とウエイトバー２０との長手方向に沿った相対移動が規制されるため、ロールスクリーン１０の破損を防ぐこともできる。
【図面の簡単な説明】
【００４１】
【図１】本発明のロールスクリーン用支持部材とロールスクリーンとの取り付ける際の状態を表す斜視図である。
【図２】本発明のロールスクリーン用支持部材の（ａ）は側面図、（ｂ）は正面図である。
【図３】本発明のロールスクリーン用支持部材の底面方向から見た斜視図である。
【図４】ロールスクリーンと本発明のロールスクリーン用支持部材の取り付け状態を表す断面図である。
【図５】ロールスクリーンと本発明のロールスクリーン用支持部材の取り付け状態を表す正面図である。
【図６】ロールスクリーンと本発明のロールスクリーン用支持部材の取り付け状態を表す平面図である。
【図７】従来のロールスクリーン用支持部材が取り付けられていないロールスクリーンを表す図４相当図である。
【図８】本発明の他の実施形態によるロールスクリーン用支持部材の側面図である。
【図９】ロールスクリーンと本発明の他の実施形態によるロールスクリーン用支持部材の取り付け状態を表す断面図である。
【符号の説明】
【００４２】
１０  ロールスクリーン
１２  セットフレーム（固定部材）
１４  サイドプレート（固定部材）
１６  巻取パイプ
１８  スクリーン
２０  ウエイトバー
２０ａ  ウエイトバーキャップ
３０、３０−１  ロールスクリーン用支持部材
３２  第１保持部（セットフレーム保持部）
３２−１  第１保持部（サイドプレート保持部）
３４  第２保持部
【図１】
0004615450.tif 000002
【図２】
0004615450.tif 000003
【図３】
0004615450.tif 000004
【図４】
0004615450.tif 000005
【図５】
0004615450.tif 000006
【図６】
0004615450.tif 000007
【図７】
0004615450.tif 000008
【図８】
0004615450.tif 000009
【図９】
0004615450.tif 000010